(57)【要約】【課題】  作動媒体の蒸気をタービンに噴射するノズルの入口側と出口側の間での作動媒体の熱落差を大きくして、発電効率を向上させることができる熱発電システムを提供する。【解決手段】  熱エネルギーにより直接または間接的に作動媒体３を加熱し、作動媒体３の蒸気をノズル８から噴出させて動翼５ｂを回転駆動させる。この動翼５ｂの回転によって発電機ロータ６Ａを回転させ、前記発電機ロータ６Ａと対向して設けられた発電機ステータ部６Ｂで発電させる。前記ノズル８の入口部と前記ノズル８の出口部を仕切るノズル入口出口間部材１８は、ノズル入口部からノズル出口部へ向かう方向の熱伝導を低減する作用を有するものとする。【選択図】      図２
2008075488.tif 000002
【特許請求の範囲】
【請求項１】
熱エネルギーにより直接または間接的に作動媒体を加熱し、前記作動媒体の蒸気をノズルから噴出させて動翼を回転駆動させ、この動翼の回転により発電機ロータを回転させることによって、前記発電機ロータと対向して設けられた発電機ステータ部で発電させる熱発電システムにおいて、
前記ノズルの入口部と前記ノズルの出口部を仕切るノズル入口出口間部材が、ノズル入口部からノズル出口部へ向かう方向の熱伝導を低減する作用を有するものであることを特徴とする熱発電システム。
【請求項２】
請求項１において、前記ノズル入口出口間部材が、ノズル入口部からノズル出口部の間に断面積の狭い部位を有する熱発電システム。
【請求項３】
請求項１において、前記ノズル入口出口間部材のノズル入口側またはノズル出口側の少なくとも一方を、樹脂材料またはセラミック材料で覆った熱発電システム。
【請求項４】
請求項１において、前記ノズル入口出口間部材を樹脂材料またはセラミック材料で成形した熱発電システム。
【請求項５】
請求項１ないし請求項４のいずれか１項において、ノズル入口部を構成するノズル入口部材を樹脂材料またはセラミック材料で成形した熱発電システム。
【請求項６】
請求項３ないし請求項５のいずれか１項において、前記樹脂材料をＰＥＥＫ材またはＰＰＳ材とした熱発電システム。
【請求項７】
請求項１ないし請求項６のいずれか１項において、前記熱エネルギーが太陽熱である熱発電システム。
【発明の詳細な説明】
【技術分野】
【０００１】
この発明は、太陽熱等の熱エネルギーを電気エネルギーに変換する熱発電システムに関する。
【背景技術】
【０００２】
この種の熱発電システムの従来例として、コレクタ部において作動媒体を太陽熱で加熱し、その作動媒体の高圧蒸気をタービン動翼の外周側に設けられた１個ないし複数個のノズルから動翼に噴出させてタービンを回転駆動し、タービン動翼を出た作動媒体の蒸気を復水器により再び液体に戻してコレクタ部に循環させるという熱サイクルを行い、タービンの回転で発電機を発電させるようにした太陽熱発電システムが知られている（例えば特許文献１〜４）。
【０００３】
図７はこのような従来の熱発電システムにおけるタービンユニットの一例を示す断面図を示し、図８は図７のVIII−VIII矢視断面図を示す。このタービンユニット３２では、ユニットハウジング４２内の上下に発電機３６とタービン３５とが回転自在に配置され、発電機３６の発電機ロータ３６Ａとタービン３５とは垂直姿勢とした主軸３７により互いに連結されている。タービン３５は、その外周側に配置されたノズル３８から径方向に噴射される作動媒体３３の蒸気を動翼３５ｂに受けて回転駆動される半径流タービンであり、前記主軸３７に取付けられ主軸３７と同心の円盤状の動翼取付部材３５ａの外周部に周方向に並ぶ複数の動翼３５ｂを設けて構成される。ノズル３８は、タービン３５と同心にタービン３５の外周側に設けられた円筒状のノズル部材４８に設けられる。ノズル３８の入口側であるノズル部材４８の外周側は、タービンハウジング４２の一部を構成するノズル入口部材４２Ａによって囲まれて、ノズル入口部材４２Ａとノズル部材４８との間にリング状のノズル入口側空間４９が形成される。図示しないコレクタ部で加熱されて蒸気となった作動媒体３３は、タービンハウジング４２の底壁部４２ａに設けられた吸気口５０から前記ノズル入口側空間４９を経て、ノズル３８よりタービン動翼３５ｂに向けて噴射される。タービン動翼３５ｂを通過してノズル部材４８の内側に達した作動媒体３３の蒸気は、タービンハウジング４２の底壁部４２ａに設けられた排気口５１から排気されて図示しない復水器へ送られる。
【０００４】
図９は、従来の熱発電システムにおけるタービンユニットの他の例を一例を示す部分断面図を示す。このタービンユニット３２では、ユニットハウジング４２内の左右に図示しない発電機とタービン３５とが回転自在に配置され、発電機の発電機ロータとタービン３５とは水平姿勢とした主軸３７により互いに連結されている。タービン３５は、その外周部の一側方（図９では左側）に配置されたノズル３８から軸方向に噴射される作動媒体３３の蒸気を動翼３５ｂに受けて回転駆動される軸流タービンであり、前記主軸３７に一体に設けられ主軸３７と同心の円盤状の動翼取付部材３５ａの外周部に周方向に並ぶ複数の動翼３５ｂを設けて構成される。ノズル３８は、タービン３５の一側方に配置されたリング状のノズル部材４８に設けられる。図１０には、前記ノズル部材４８とタービン３５の軸方向の並び構造を断面図で示す。ノズル３８の入口側であるノズル部材４８の一側方は、タービンハウジング４２の一部を構成するノズル入口部材４２Ａによって囲まれて、ノズル入口部材４２Ａとノズル部材４８との間にリング状のノズル入口側空間４９が形成される。図示しないコレクタ部で加熱されて蒸気となった作動媒体３３は、前記ノズル入口部材４２Ａに設けられた吸気口５０から前記ノズル入口側空間４９を経て、ノズル３８よりタービン動翼３５ｂに向けて噴射される。タービン動翼３５ｂを通過した作動媒体３３の蒸気は、タービンハウジング４２の壁部４２ａに設けられた排気口５１から排気されて図示しない復水器へ送られる。
【特許文献１】特開２００２−２４２６９３号公報
【特許文献２】特開２０００−１１０５１５号公報
【特許文献３】特開２００３−２２７３１５号公報
【特許文献４】特開２００４−２７８３３５号公報
【発明の開示】
【発明が解決しようとする課題】
【０００５】
図７および図８に示すような構造のタービンユニット３２とした熱発電システムでは、作動媒体３３の蒸気が断熱膨張してノズル３８から噴出するため、作動媒体３８の蒸気温度は、ノズル３８の入口側よりもノズル３８の出口側の方が低くなる。そのため、ノズル３８の入口側と出口側とを仕切るノズル部材４８において、ノズル入口側からノズル出口側へ向かう方向に熱伝導が生じ、ノズル入口側の作動媒体３３から熱が奪われることで熱落差が小さくなって、システムの発電効率が小さくなるという問題がある。
また、ノズル３８の入口側の空間４９を囲むノズル入口部材４２Ａにおいて、作動媒体３３に晒される内面側は高温となるのに対して、外面側は外気に晒されているため、ノズル入口部材４２Ａの内面から外面に向かって熱伝導が生じる。そのため、この熱伝導によっても、ノズル入口側の作動媒体３３から熱が奪われることになり、ノズル入口側とノズル出口側の間での作動媒体３３の熱落差はさらに小さくなり、システムの発電効率はさらに小さくなる。
【０００６】
このような問題は、タービン３５を、図７および図８に示すように外周側から作動媒体の蒸気を噴射する半径流タービンとする場合に限らず、内周側から作動媒体の蒸気を噴射する半径流タービンとする場合や、図９および図１０に示すような軸流タービンとする場合にも同様に発生する。
【０００７】
この発明の目的は、作動媒体の蒸気をタービンに噴射するノズルの入口側と出口側の間での作動媒体の熱落差を大きくして、発電効率を向上させることができる熱発電システムを提供することである。
【課題を解決するための手段】
【０００８】
この発明の熱発電システムは、熱エネルギーにより直接または間接的に作動媒体を加熱し、前記作動媒体の蒸気をノズルから噴出させて動翼を回転駆動させ、この動翼の回転によって発電機ロータを回転させることによって、前記発電機ロータと対向して設けられた発電機ステータ部で発電させる熱発電システムにおいて、前記ノズルの入口部と前記ノズルの出口部を仕切るノズル入口出口間部材が、ノズル入口部からノズル出口部へ向かう方向の熱伝導を低減する作用を有するものであることを特徴とする。
この構成によると、ノズル入口出口間部材がノズル入口部からノズル出口部へ向かう方向の熱伝導を低減する作用を有するので、ノズル入口側において作動媒体の蒸気がノズル入口出口間部材により熱を奪われる度合いが低くなる。その結果、ノズルの入口側と出口側の間での作動媒体の熱落差も大きくなり、システムの発電効率が向上する。
【０００９】
この発明において、前記ノズル入口出口間部材が、ノズル入口部からノズル出口部の間に断面積の狭い部位を有するものとしても良い。ノズル入口出口間部材の断面積の狭い部位により、熱伝導が低減する。
【００１０】
この発明において、前記ノズル入口出口間部材のノズル入口側またはノズル出口側の少なくとも一方を、樹脂材料またはセラミック材料で覆っても良い。この構成の場合、樹脂材料またはセラミック材料の低熱伝導性のため、ノズル入口側において作動媒体の蒸気がノズル入口出口間部材により熱を奪われる度合いが低くなるので、ノズルの入口側と出口側の間での作動媒体３の熱落差も大きくなり、システムの発電効率が向上する。
【００１１】
この発明において、前記ノズル入口出口間部材を樹脂材料またはセラミック材料で成形しても良い。この構成の場合も、樹脂材料またはセラミック材料の低熱伝導性のため、ノズル入口側において作動媒体の蒸気がノズル入口出口間部材により熱を奪われる度合いが低くなるので、ノズルの入口側と出口側の間での作動媒体３の熱落差も大きくなり、システムの発電効率が向上する。
【００１２】
この発明において、ノズル入口部を構成するノズル入口部材を樹脂材料またはセラミック材料で成形しても良い。この構成の場合、ノズル入口側の空間において作動媒体の蒸気がノズル入口部材により熱を奪われる度合いも低くなる。その結果、ノズルの入口側と出口側の間での作動媒体の熱落差がさらに大きくなり、システムの発電効率がさらに向上する。
【００１３】
この発明において、前記樹脂材料をＰＥＥＫ材（ポリエーテルエーテルケトン材）またはＰＰＳ材（ポリフェニレンサルファイド材）としても良い。ＰＥＥＫ材やＰＰＳ材は耐熱性や強度に優れるため、高温条件下で使用でき、熱伝導も小さい。
【００１４】
この発明において、前記熱エネルギーが太陽熱であっても良い。この発明の熱発電システムは、太陽熱発電システムの場合、得られるエネルギー量が小さいため、動翼での損失量は小さくても、入力エネルギーに対する割合は高くなってしまうため、その効果がより効果的に発揮される。また、仕事が大きい高負荷のタービンと比較して作動媒体の温度が低くなるため、樹脂材料も使用可能となる。
【発明の効果】
【００１５】
この発明の熱発電システムは、熱エネルギーにより直接または間接的に作動媒体を加熱し、前記作動媒体の蒸気をノズルから噴出させて動翼を回転駆動させ、この動翼の回転により発電機ロータを回転させることによって、前記発電機ロータと対向して設けられた発電機ステータ部で発電させる熱発電システムにおいて、前記ノズルの入口部と前記ノズルの出口部を仕切るノズル入口出口間部材を、ノズル入口部からノズル出口部へ向かう方向の熱伝導を低減する作用を有するものとしたため、作動媒体の蒸気をタービンに噴射するノズルの入口側と出口側の間での作動媒体の熱落差が大きくなり、発電効率を向上させることができる。
【発明を実施するための最良の形態】
【００１６】
この発明の第１の実施形態を図１ないし図３と共に説明する。図１は、この発明の熱発電システムの概略構成を示す。この熱発電システムは、熱エネルギーである太陽熱を電気エネルギーに変換して出力する太陽熱発電システムであって、太陽光を集光して太陽熱を吸収するコレクタ部１と、タービン５および発電機６を有するタービンユニット２と、コレクタ部１とタービン５の間で作動媒体３を循環させるクローズド経路の作動媒体経路４とを備える。
作動媒体経路４は、前記コレクタ部１で加熱された作動媒体３の蒸気を高圧蒸気として前記タービン５に噴出させタービン５を回転駆動するノズル８と、ノズル８から噴出してタービン５の回転に使用された作動媒体３の蒸気を液体に戻す復水器９と、液体に戻した作動媒体３をコレクタ部１に循環供給する循環ポンプ１０とを有する。
【００１７】
図２はタービンユニット２の拡大断面図を示し、図３は図２におけるIII −III 矢視断面図を示す。このタービンユニット２では、発電機６とタービン５とが上下に配置される。発電機６は、回転部分である一対の発電機ロータ６Ａ，６Ａと、静止部分である発電機ステータ部６Ｂとでなる。具体的には、発電機６はアキシャルギャップ型発電機であり、円筒状のユニットハウジング１２の内周側に設けられた発電機ステータ部６Ｂに対して、垂直方向に向く姿勢とした主軸７に設けられた一対の発電機ロータ６Ａ，６Ａが上下に所定のギャップを介して対向配置されている。この発電機６での発電はコントローラ１１（図１）によって制御される。
【００１８】
発電機ステータ部６Ｂは、そのステータ基体１３が非磁性体からなるコアレス構造とされており、ステータ基体１３の周方向に１個ないし複数個のコイル部１４が集中巻きで配置されている。なお、発電機ステータ部６Ｂのステータ基体１３を磁性体とした場合、始動トルクの増大、低速回転域での鉄損増大やコギングトルクによる騒音、振動等が生じるが、コアレス構造としたこの実施形態では、そのような問題を回避できる。ただし、発電機６は上記したコアレス構造のものに限らず、他の構造のものを採用しても良い。前記コイル部１４は、その表面の絶縁被膜を保護するために樹脂等でモールドされている。これにより、発電機ステータ部６Ｂにおけるコイル部１４の表面の絶縁被膜が、作動媒体３である有機溶媒等により侵されて安定した発電が行えなくなるのを回避できる。
各発電機ロータ６Ａは、主軸７に一体に形成したフランジ状のロータ基体１５における前記発電機ステータ部６Ｂに対向する側面の円周上に、１個ないし複数個の磁石１６を配置して構成されている。この場合の磁石１６の磁極は、その磁束が発電機ステータ部６Ｂのコイル部１４に鎖交するように配置される。例えば、上ロータ磁石がＮ極，下ロータ磁石がＳ極とされる。
【００１９】
タービン５は、前記主軸７の下端部に嵌合し、主軸７の下端の雄ねじ部に螺合させたナット１７で位置決めされる円盤状の動翼取付部材５ａと、この動翼取付部材５ａの外周部において周方向に列状に並べて設けられる複数の動翼５ｂとでなる。動翼５ｂは、樹脂成形品や金属製品からなる。タービン５の外周には円筒状のノズル入口出口間部材１８が設けられ、このノズル入口出口間部材１８に動翼５ｂの翼列に向けて貫通する１個ないし複数個のノズル８が、図３のように周方向に分配して（ここでは２個のノズル８が１８０°の位相で）設けられている。これにより、タービン５の外周側のノズル８から、タービン５の径方向に向けて作動媒体３の蒸気が噴射され、その蒸気を動翼５ｂで受けてタービン５が回転駆動される。すなわち、この実施形態でのタービン５は、外径側から作動媒体３の蒸気が噴射される半径流タービンとされている。
【００２０】
ユニットハウジング１２の底壁部１２ａには、作動媒体経路４（図１）の上流部に繋がり、コレクタ部１で加熱されて蒸気となった作動媒体３をノズル入口出口間部材１８の外周側のノズル入口側空間１９に流入させる吸気口２０が貫通して設けられている。ノズル入口側空間１９は、前記ノズル入口出口間部材１８と、このノズル入口出口間部材１８の外周側にノズル入口出口間部材１８と同心状に配置されてユニットハウジング１２の一部を構成する円筒状のノズル入口部材１２Ａとで囲まれる円筒状の空間である。
また、ユニットハウジング１２の底壁部１２ａにおける前記タービン８の配置部下位置には、タービン動翼５ｂを通過した作動媒体３を作動媒体経路４の下流部に排出する排気口２１が貫通して設けられている。
【００２１】
前記ノズル入口出口間部材１８は、ノズル８の入口側から出口側の間に断面積の狭い部位が生じるように、図３のような中空部１８ｃを設けた部材とされている。中空部１８ｃは、ノズル入口出口間部材１８における基体部１８ａだけに設けてもよいし、ノズル入口出口間部材１８を構成する基本１８ａと先端部１８ｂのそれぞれに設けてもよい。これにより、ノズル入口出口間部材１８は、ノズル８の入口側から出口側に向かう方向の熱伝導を低減する作用を有する。
また、ユニットハウジング１２の一部を構成する前記ノズル入口部材１２Ａは、樹脂材料やセラミック材料などの断熱部材で構成されている。ノズル入口部材１２Ａとして用いる樹脂材料としては、耐熱性や強度に優れたＰＥＥＫ材やＰＰＳ材が好適であり、この場合には高温条件下で使用でき、熱伝導も小さい。
【００２２】
主軸７は磁気軸受やフォイル軸受などの非接触軸受２２Ａ〜２２Ｃを介してユニットハウジング１２に回転自在に支持される。なお、主軸７の支持は、非接触軸受２２Ａ〜２Ｃによらず、接触式の軸受で行っても良い。
【００２３】
上記構成による熱発電システムの動作を説明する。作動媒体経路４内の作動媒体３は循環ポンプ１０によってコレクタ部１に送られる。コレクタ部１では太陽熱を吸収し、吸収した熱エネルギーを作動媒体３に与えることにより高圧蒸気とする。作動媒体３の高圧蒸気はユニットハウジング１２の吸気口２０からノズル入口側空間１９に流入し、ノズル８を介してタービン５の動翼５ｂに噴射され、これによりタービン５が回転駆動される。タービン５の回転によって発電機ロータ６Ａが回転し、発電機ロータ６Ａと対向して設けられた発電機ステータ部６Ｂで発電される。この発電の制御はコントローラ１１によって行われる。このようにして、タービン５の回転が電気エネルギーに変換される。タービン動翼５ｂの翼列を通過した作動媒体３の蒸気は排気口２１から作動媒体経路３の復水器９へ送られて液化され、循環ポンプ１０によって再度コレクタ部１まで送られる。
【００２４】
この熱発電システムでは、ノズル８の入口側と出口側を仕切るノズル入口出口間部材１８を、例えば中空部１８ｃを設けた部材とすることにより、ノズル８の入口部から出口部の間に断面積の狭い部位を有する構造として、ノズル入口側からノズル出口側へ向かう方向の熱伝導を低減する作用を有するものとしているので、ノズル入口側空間１９において作動媒体３の蒸気がノズル入口出口間部材１８により熱を奪われる度合いが低くなる。その結果、ノズル８の入口側と出口側の間での作動媒体３の熱落差も大きくなり、システムの発電効率が向上する。
なお、ノズル入口出口間部材１８を中空部１８ｃを有する部材とせず、例えば樹脂材料やセラミック材料などの断熱部材で構成して、ノズル入口側からノズル出口側へ向かう方向の熱伝導を低減する作用を有するものとしてもよい。この場合も、ノズル入口側空間１９において作動媒体３の蒸気がノズル入口出口間部材１８により熱を奪われる度合いが低くなるので、ノズル８の入口側と出口側の間での作動媒体３の熱落差も大きくなり、システムの発電効率が向上する。
また、この実施形態では、ノズル入口部材１２Ａが樹脂材料（ＰＥＥＫ材やＰＰＳ材）やセラミック材料などの断熱部材で構成されているので、ノズル入口側空間１９において作動媒体３の蒸気がノズル入口部材１２Ａにより熱を奪われる度合いも低くなる。その結果、ノズル８の入口側と出口側の間での作動媒体３の熱落差がさらに大きくなり、システムの発電効率がさらに向上する。
【００２５】
図４は、この発明の熱発電システムの他の実施形態におけるタービンユニットでのタービン配置部の水平断面図を示す。その他の部分は、第１の実施形態の場合と同様であるため、ここでは図示および説明を省略する。この熱発電システムでは、第１の実施形態におけるノズル入口出口間部材１８を中空部１８ｃを有する材料とせず、そのノズル入口出口間部材１８のノズル入口側の周面を樹脂材料やセラミック材料などの断熱部材２３で覆っている。ただし、ノズル８の入口となる部分は開口させてある。断熱部材２３として用いる樹脂材料としては、耐熱性や強度に優れたＰＥＥＫ材やＰＰＳ材が好適であり、この場合には高温条件下で使用でき、熱伝導も小さい。
【００２６】
この実施形態の場合、ノズル部材１８のノズル入口側の周面を断熱部材２３で覆っていることから、ノズル入口出口間部材１８においてノズル入口側からノズル出口側へ向かう方向の熱伝導を低減する作用を有することになり、ノズル入口側空間１９において作動媒体３の蒸気がノズル入口出口間部材１８により熱を奪われる度合いが低くなる。その結果、ノズル８の入口側と出口側の間での作動媒体３の熱落差も大きくなり、システムの発電効率が向上する。
【００２７】
図５は、この発明の熱発電システムのさらに他の実施形態におけるタービンユニットでのタービン配置部の水平断面図を示す。その他の部分は、第１の実施形態の場合と同様であるため、ここでは図示および説明を省略する。この熱発電システムでは、第１の実施形態におけるノズル入口出口間部材１８を中空部１８ｃを有する材料とせず、そのノズル入口出口間部材１８のノズル出口側の周面を樹脂材料やセラミック材料などの断熱部材２３で覆っている。ただし、ノズル８の出口となる部分は開口させてある。断熱部材２３として用いる樹脂材料としては、耐熱性や強度に優れたＰＥＥＫ材やＰＰＳ材が好適であり、この場合には高温条件下で使用でき、熱伝導も小さい。
【００２８】
この実施形態の場合、ノズル入口出口間部材１８のノズル出口側の周面を断熱部材２３で覆っていることから、ノズル入口出口間部材１８においてノズル入口側からノズル出口側へ向かう方向の熱伝導を低減する作用を有することになり、ノズル入口側空間１９において作動媒体３の蒸気がノズル入口出口間部材１８により熱を奪われる度合いが低くなる。その結果、ノズル８の入口側と出口側の間での作動媒体３の熱落差も大きくなり、システムの発電効率が向上する。
【００２９】
図６は、この発明のさらに他の実施形態を示す。この発明の熱発電システムは、図１に示す第１の実施形態における作動媒体経路４に代えて、コレクタ部１を循環する作動媒体３Ａの作動媒体経路４Ａと、タービン５を循環する作動媒体３Ｂの作動媒体経路４Ｂとを別々に設け、コレクタ部１によって加熱された作動媒体３Ａの熱エネルギーを、熱交換器２４を介してタービン５側の作動媒体３Ｂに与える構成としたものである。タービンユニット２の構成は、図２および図３の構成のものに限らず図４や図５の実施形態の構成であっても良く、ここではその説明を省略する。
【００３０】
このように、コレクタ部１から熱エネルギーを獲得するための作動媒体３Ａと、タービン５を回転駆動するための作動媒体３Ｂとを分離した場合、それぞれの役割に適した作動媒体を選ぶことができる。
【００３１】
なお、以上の各実施形態では、タービンとして、外周側から径方向に作動媒体の蒸気を噴射する半径流タービンを用いた場合について説明したが、これに限らず、内周側から径方向に作動媒体の蒸気を噴射する半径流タービンを用いた場合にも、軸方向に作動媒体の蒸気を噴射する軸流タービンに用いた場合にも、同様の効果が得られる。
【図面の簡単な説明】
【００３２】
【図１】この発明の第１の実施形態にかかる熱発電システムの概略図である。
【図２】同発電システムにおけるタービンユニットの拡大断面図である。
【図３】図２におけるIII −III 矢視断面図である。
【図４】この発明の他の実施形態にかかる熱発電システムにおけるタービンユニットでのタービン配置部の水平断面図である。
【図５】この発明のさらに他の実施形態にかかる熱発電システムにおけるタービンユニットでのタービン配置部の水平断面図である。
【図６】この発明のさらに他の実施形態にかかる熱発電システムの概略図である。
【図７】従来例におけるタービンユニットの断面図である。
【図８】図７におけるVIII−VIII矢視断面図である。
【図９】他の従来例におけるタービンユニットの部分断面図である。
【図１０】同タービンユニットにおけるノズル部材とタービン動翼の軸方向の並び構造を示す断面図である。
【符号の説明】
【００３３】
１…コレクタ部
２…タービンユニット
３，３Ａ，３Ｂ…作動媒体
５…タービン
５ｂ…動翼
６…発電機
６Ａ…発電機ロータ
６Ｂ…発電機ステータ部
８…ノズル
１２Ａ…ノズル入口部材
１８…ノズル入口出口間部材
１８ｃ…中空部
２３…断熱部材
【図１】
2008075488.tif 000003
【図２】
2008075488.tif 000004
【図３】
2008075488.tif 000005
【図４】
2008075488.tif 000006
【図５】
2008075488.tif 000007
【図６】
2008075488.tif 000008
【図７】
2008075488.tif 000009
【図８】
2008075488.tif 000010
【図９】
2008075488.tif 000011
【図１０】
2008075488.tif 000012